(57)【要約】      （修正有）【課題】イベントなどで使用される会場に仮設工事で設営され、施工の簡素化が図れ、カメラ機能（防犯機能）を含む無線による防災技術を提供する。【解決手段】情報処理装置は、異常事態発生情報の感知器識別ＩＤおよび／またはカメラ識別ＩＤをもとに異常事態の発生場所を特定し、当該発生場所に対応するカメラ映像、防災用情報を含む警報情報を防災・防犯管理設備を管理する現場責任者携帯端末およびイベント会場に入場した会場入場者携帯端末に対して送信し、会場入場者携帯端末の会場入場者および前記現場責任者携帯端末の現場責任者に対して避難誘導指示を行う。【選択図】図６
2019219844.tif 000002
【特許請求の範囲】
【請求項１】
イベント会場に仮設される防災・防犯管理設備を備えた無線による防災システムであって、
前記防災・防犯管理設備は、複数の感知器、情報処理装置を含み、
前記感知器は、
前記イベント会場に着脱自在に仮設され、無線通信機能を有する感知器であって、
異常事態を検知する異常事態検知手段と、
前記異常事態検知手段にて異常事態を検知したとき、
異常事態発生を示す異常事態発生情報に感知器識別ＩＤを付与して前記情報処理装置に発信し、かつ、カメラ機能を有するカメラ部を起動し、当該カメラ部のカメラ映像にカメラ識別ＩＤを付与して前記情報処理装置に発信する手段、を有し、
前記情報処理装置は、
前記感知器から発信された前記異常事態発生情報および前記カメラ映像を無線にて受信したとき、
前記感知器識別ＩＤおよび／または前記カメラ識別ＩＤをもとに異常事態の発生場所を特定する手段と、
前記異常事態の発生場所を特定する手段にて前記異常事態の発生場所に対応する前記異常事態発生情報および／または前記カメラ映像を警報情報として、前記防災・防犯管理設備を管理する現場責任者携帯端末および前記イベント会場に入場した会場入場者携帯端末に対して送信する手段、を有し、
前記警報情報にて、前記会場入場者携帯端末および前記現場責任者携帯端末に対して避難誘導指示を行う、ことを特徴とする防災システム。
【請求項２】
請求項１に記載された防災システムにおいて、
前記警報情報は、前記異常事態発生情報および／または前記カメラ部のカメラ映像の他に防災用情報を含み、
前記防災用情報は、前記カメラ映像および前記会場入場者携帯端末の利用者を出入口や非常口への避難経路、消火器位置、火災に繋がる要因を示す情報の何れか１つ以上を含む、
ことを特徴とする防災システム。
【請求項３】
請求項１に記載された防災システムにおいて、
前記防災・防犯管理設備は、さらに、異常事態検知部にて前記異常事態発生を検知したとき、起動する消火器パネル装置および発報装置を含み、
前記情報処理装置は、前記異常事態発生情報を受信したとき、
前記消火器パネル装置を起動して、発光部を点滅するとともに、消火器の位置を示す情報を前記会場入場者携帯端末に送信し、かつ、前記警報情報を示す非常放送を前記発報装置に送信し、前記発報装置から非常放送を拡声する制御部を含む
ことを特徴とする防災システム。
【請求項４】
請求項１に記載された防災システムにおいて、
前記カメラ部を常時起動しておき、通常時は、防犯用カメラ情報として利用し、異常発生時には、防災用カメラ情報として利用する
ことを特徴とする防災システム。
【請求項５】
請求項３に記載された防災システムにおいて、
前記発報装置は、前記カメラ映像を解析・診断する画像解析・診断部をさらに備え、画像解析・診断部は、以下の１つ以上の機能を有する。
（１）前記カメラ部によるカメラ映像の画像解析を元に人が注視している箇所を割り出し、当該箇所にて異常な温度を感知したとき、発報する機能
（２）前記カメラ部によるカメラ映像の画像解析を元に各素材の引火温度、発火温度を解析し、当該発火温度が所定の温度に近づいた場合に発報する機能
（３）前記カメラ部によるカメラ映像の画像解析を元に来場者の緊張状態を解析し、有事を起こそうとしている人を通知する機能
（４）前記カメラ部によるカメラ映像の画像解析を元に来場者の健康状態を解析し、熱中症などの体調不良を起こしそうな人を見付け次第発報する機能
（５）前記カメラ部によるカメラ映像の画像解析を元に来場者全体の人の流れを解析し、集まり過ぎている場所や、緊急事態発生時の人の誘導などを発報する機能
（６）前記感知器から受けた情報に基づき、ドローンや自走ロボットを運用し、これらの機器に感知システムの他に消火器やＡＥＤを持たせ、異常事態発生箇所に到着後、必要機器を近くの人に渡すように通知する機能
ことを特徴とする防災システム。
【請求項６】
イベント会場に仮設される防災・防犯管理設備を備えた無線による防災システムにおける防災方法であって、
前記イベント会場に着脱され、無線通信機能を有し、異常事態を検知する感知器の異常事態検知部が異常事態を検知したとき、感知器識別ＩＤを付与した異常事態発生を示す異常事態発生情報を受信するステップと、
前記異常事態検知部が異常事態を検知したとき、起動するカメラ機能を有するカメラ部のカメラ識別ＩＤを付与したカメラ映像を受信するステップと、
前記異常事態発生情報および／または前記カメラ映像を受信したとき、
前記異常事態発生情報の感知器識別ＩＤおよび／またはカメラ識別ＩＤをもとに異常事態の発生場所を特定するステップと、
前記異常事態の発生場所に対応する前記異常事態発生情報および／または前記カメラ映像を警報情報として、前記防災・防犯管理設備を管理する現場責任者携帯端末および前記イベント会場に入場した会場入場者携帯端末に対して送信するステップとを含み、
前記警報情報にて、前記会場入場者携帯端末の会場入場者および前記現場責任者携帯端末の現場責任者に対して避難誘導指示を行う、
ことを特徴とする防災方法。
【請求項７】
請求項６に記載された防災方法において、
前記警報情報は、前記異常事態発生情報および／または前記カメラ部のカメラ映像の他に防災用情報を含み、
前記防災用情報は、前記カメラ映像および前記会場入場者携帯端末の利用者を出入口や非常口への避難経路、消火器位置、火災に繋がる要因を示す情報の何れか１つ以上を含む、
ことを特徴とする防災方法。
【発明の詳細な説明】
【技術分野】
【０００１】
本発明は、無線による防災システムおよび防災方法に関する。更に詳しくは、防災機能に加えて防犯機能を有する総合防災・防犯システムおよび方法に関する。
【背景技術】
【０００２】
既存の防災システムは、複数の火災報知器を備えた火災報知設備と、事務所ビル、テナントビル、マンション、ホテル、デパート、病院、ショッピングセンタなどに設置され、専用に設計された受信機やスピーカ、非常ベルなどを備えた防災設備を有線で接続し、火災報知器にて異常事態を検知し、受信したとき、スピーカや非常ベルなどを介して従業員、住人、お客、などに警報、通知する方法が一般的である。
【０００３】
また、従来に防災監視設備として、特開２０１５−１３５５８４号公報（特許文献１）に記載された技術がある。この公報には、「監視領域に設置した火災感知器からの火災信号を受信機で受信して警報する防災監視設備に於いて、前記受信機に設けた制御部の入出力ポートに接続して外部機器との間を無線回線により通信接続する無線通信アダプタと、前記無線通信アダプタとの通信接続を介して前記受信機の制御部に所定処理を指示して動作させると共に動作結果を受信して表示する処理手段を備えた携帯端末と、を設けたことを特徴とする防災監視設備」との記載がある。
【先行技術文献】
【特許文献】
【０００４】
【特許文献１】特開２０１５−１３５５８４号公報
【発明の概要】
【発明が解決しようとする課題】
【０００５】
既存の防災システムでは、常設工事を前提にした防災システムであるため、施工に手間がかかり、また、機材も高価なため、費用がかさむ傾向がある。したがって、イベントなどを開催し、デザイン・企画の変更を余儀なくする会場に一時的に使用する場合には、適用することができない。
また、特許文献１では、携帯端末と受信機との間を無線ＬＡＮ回線により通信接続し、受信機側の設定情報の登録、変更、確認や操作部、表示部、警報部、移報部、などを動作させ、動作結果を表示する構成となっているため、受信機に設けた操作部や表示部に依存することなく、携帯端末を使用して簡単且つ確実に受信機の設定情報や試験に関する遠隔的な処理操作を可能とする効果を奏する。しかし、受信機と各感知器などの接続は、有線接続構成となっており、両者間での情報の無線通信を可能とする仕組みまでは考慮されていない。また、各機器を有線接続構成とし、イベント会場などに一時的に設置し、また、撤去する仮設用としては不向きである。
【０００６】
そこで、本発明では、イベントなどで使用される会場に仮設工事で設営され、施工の簡素化が図れ、カメラ機能（防犯機能）を含む無線による防災技術を提供することを目的とする。
【課題を解決するための手段】
【０００７】
上記課題を解決するために、代表的な本発明の無線による防災システムの一つは、
イベント会場に仮設される防災・防犯管理設備を備えた無線による防災システムであって、
前記防災・防犯管理設備は、複数の感知器、情報処理装置を含み、
前記感知器は、
前記イベント会場に着脱自在に仮設され、無線通信機能を有する感知器であって、
異常事態を検知する異常事態検知手段と、
前記異常事態検知手段にて異常事態を検知したとき、
異常事態発生を示す異常事態発生情報に感知器識別ＩＤを付与して前記情報処理装置に発信し、かつ、カメラ機能を有するカメラ部を起動し、当該カメラ部のカメラ映像にカメラ識別ＩＤを付与して前記情報処理装置に発信する手段、を有し、
前記情報処理装置は、
前記感知器から発信された前記異常事態発生情報および前記カメラ映像を無線にて受信したとき、
前記感知器識別ＩＤおよび／または前記カメラ識別ＩＤをもとに異常事態の発生場所を特定する手段と、
前記異常事態の発生場所を特定する手段にて前記異常事態の発生場所に対応する前記異常事態発生情報および／または前記カメラ映像を警報情報として、前記防災・防犯管理設備を管理する現場責任者携帯端末および前記イベント会場に入場した会場入場者携帯端末に対して送信する手段、を有し、
前記警報情報にて、前記会場入場者携帯端末および前記現場責任者携帯端末に対して避難誘導指示を行う、ことを特徴とする。
【発明の効果】
【０００８】
本発明によれば、仮設工事で済み、施工の簡素化が図れる防災システムを提供することができる。
【０００９】
また、異常事態発生時、現場責任者携帯端末および会場入場者携帯端末を保有する現場責任者や利用客などの関係者に対して、イベント会場のどの場所で、どのような異常事態が発生したかを迅速に、かつ適確に知らせることができる。
【００１０】
また、イベント会場に一時的に取り付け、取り外し可能な防災用の感知器にカメラ機能を持たせることにより、例えば、火災発生時に火災の様子を映した画像の確認とともに避難通路や避難誘導を的確にイベント会場における入場者や管理者を含む関係者へ知らせることも可能である。
上記した以外の課題、構成および効果は、以下の実施形態の説明により明らかにされる。
【図面の簡単な説明】
【００１１】
【図１】本発明の無線による防災システムをイベント会場に仮設工事で設置した例を示す図。
【図２】本発明の無線による防災システムにおける情報処理装置の構成例を示すブロック図。
【図３】本発明の防災システムにおける感知器の構成例を示すブロック図。
【図４】本発明の防災システムにおける発報装置の構成例を示すブロック図。
【図５】本発明の防災システムにおける消火器用パネル装置の構成例を示すブロック図。
【図６】本発明の防災システムにおける情報処理装置における制御装置、感知器、会場入力者携帯端末、現場責任者携帯端末間による処理手順を説明するフローチャート。
【図７】本発明の情報処理装置における記憶装置に格納される情報のデータ構成を示すテーブル。
【発明を実施するための形態】
【００１２】
以下、本発明の実施例について図面を用いて説明する。
【実施例】
【００１３】
図１は、本発明の無線による防災システムをイベント会場に仮設工事で設置した例を示す図である。
【００１４】
無線による防災システムは、出入口、非常口、複数のブース、を有するイベント会場（催し物展示会場）に仮設工事で設置される防災・防犯管理設備１を有する。
【００１５】
防災・防犯管理設備１は、例えば、パーソナルコンピュータなどの情報処理装置１１、複数の感知器１２を備えている。また、必要に応じて、発報装置１４、消火器用パネル装置１５、を備えてもよい。防災・防犯管理設備１におけるパーソナルコンピュータなどの情報処理装置１１は、イベント会場とは別の場所、例えば、本無線による防災システムのアプリを開発した会社（イベント会場外）に設置する。必要あれば、イベント会場内に設置してもよい。感知器１２は、発報装置１４、消火器用パネル装置１５、などとともにイベント会場内の所望の位置に設置する。
【００１６】
感知器１２は、例えば、イベント会場の天井や壁などに仮設、つまり、着脱可能に構成された火災感知器、防排煙感知器などである。
【００１７】
火災感知器、防排煙感知器、温度感知器（温度センサ）、音感知器（音声感知センサ）などの感知器１２は、異常事態を検知した場合は、その旨を示す情報、つまり異常事態発生情報を無線で発信する機能を有する。
【００１８】
煙感知や熱感知および後述する発報は、既存の方法にて煙や熱を検知し、その検知度合いにより発報レベルＡ／Ｂ／Ｃ／Ｄで発報するとよい。温度感知および後述する発報は、例えば、サーモスタットにて温度を監視し、発火温度に近づいたとき、例えば、木材２５０℃、ポリエチレン３５０℃で発報するとよい。または、人体の体温を監視し、熱中症などの体調不良を検知し、発報レベルＡ／Ｂで発報するとよい。音感知および後述する発報は、例えば、「助けて」「逃げろ」「火事だ」等の音声に反応し、発報レベルＡ／Ｂ／Ｃで発報するとよい。
発報は、優先順位を決め、例えば、Ａ、Ｂ、Ｃ、Ｄの順番とし、Ａは、主にイベント管理者が使用し、Ｂは、主にイベント運営者が使用し、Ｃは、主にイベント出展者が使用し、Ｄは主にイベント来場者が使用する。
【００１９】
また、感知器１２は、イベント会場に常設されている防災や防犯のための監視用カメラ（図示せず）とは別に用意されたカメラ部（図３参照）、および／または一定の音声に反応する音声感知センサなどを備えてもよい。カメラ部は、感知器１２の近傍で発生した異常事態の発生現場を撮影するカメラ機能を有する。
【００２０】
例えば、イベント会場で火災が発生した場合等の異常事態が発生したとき、カメラ部を起動して火災用カメラとして機能させるものである。感知器１２を仮設したとき、カメラ部を常時起動することにより、通常時には、防犯用カメラとして機能するようにしてもよい。
【００２１】
音声感知センサは、例えば、イベント会場内の異常事態発生時に発生する音声を感知し、イベント会場の破壊や設備の盗難などを未然に防止する防犯用を兼ねた機能を有する。
【００２２】
また、イベント会場内には、イベント開催時、現場責任者が保有する現場責任者携帯端末２（管理者・運営者用携帯端末ともいう）、利用者が保有する会場入場者携帯端末３が存在することになる。
現場責任者携帯端末２および会場入場者携帯端末３は、例えば、スマートフォン、タブレット型携帯デバイスなどである。
【００２３】
図２は本発明の無線による防災システムにおける情報処理装置１１の構成例を示すブロック図である。
情報処理装置１１は、本発明の無線による防災システムを動作させるアプリケーションを搭載しており、当該アプリケーションを実行する通信装置１１１、入力装置１１２、出力装置１１３、発報装置１４、記憶装置１１５、制御装置（ＣＰＵ）１１６、を有する。
【００２４】
通信装置１１１は、感知器１２、現場責任者携帯端末２、会場入場者携帯端末３や発報装置１４、消火器用パネル装置１５、等の各機器とＷｉＦｉ接続する通信装置（ＷｉＦｉ部）１１１を含み、感知器１２にて異常事態が発生したことを検知した場合、感知器１２から発生する異常事態発生情報やカメラ映像情報、等を受信する機能、また、これらの異常事態発生情報やカメラ映像情報を現場責任者携帯端末２や会場入場者携帯端末３に送信し、異常事態（緊急事態）が発生したことを通知する機能を有する。
【００２５】
また、通信装置１１１は、例えば、記憶装置１１５に予め用意した発報メッセージ（非常放送等）を発報装置１４や現場責任者携帯端末２や会場入場者携帯端末３に送信し、発報メッセージ（非常放送等）にて、異常事態（緊急事態）が発生したことを通報する機能を有する。この通報は同報で行うとよい。
【００２６】
また、通信装置１１１は、消火器用パネル装置１５との間で消火器（図示せず）の位置を示す情報（消火器位置情報）を送受信する機能を有し、異常事態発生時、この消火器位置情報を現場責任者携帯端末２や会場入場者携帯端末３に送信する機能を有する。この消火器位置情報の、現場責任者携帯端末２や会場入場者携帯端末３への送信は、異常事態発生時、消火器用パネル装置１５から直接おこなってもよい。
【００２７】
入力装置１１２は、キーボードなどの入力部を有し、各感知器１２やカメラ、音声感知センサを識別するＩＤ、設置位置、避難誘導情報（避難経路や地図など）、発報メッセージ、などを示す各情報を入力する機能を有する。
【００２８】
感知器１２とカメラ部や音声感知センサを分離して構成する場合には、感知器１２のＩＤとは別にカメラ部や音声感知センサのＩＤを付与するとよい。何れにしても感知器１２のＩＤとカメラ部や音声感知センサのＩＤとの関係を明確にし、それらを識別できるようにすれば如何なる方法でもよい。
【００２９】
出力装置１１３は、表示部を含み、異常事態発生時の状態を示す異常事態発生情報（含カメラ映像）、および／または出入口や非常口などへ誘導する避難誘導情報（避難ルートや地図情報など）を含む警報情報として表示する機能を有する。この警報情報の表示により、防災・防犯管理設備１の管理者は、異常事態を的確に把握することができ、現場責任者や入場者等への適切な処置を行うことができる。
【００３０】
記憶装置１１５は、例えば、データベース（ＤＢ）を含み、異常発生情報（煙・熱／音声）、カメラ映像、防災用情報（含地図、避難経路、消火器位置、火災に繋がる要因などの各情報）、各感知器やカメラを識別するＩＤ、設置位置、および発報メッセージ（非常放送情報）、などを含む警報情報を記憶する。
【００３１】
異常事態発生時、この警報情報を、現場責任者携帯端末２や会場入場者携帯端末３に対して、無線（ＷｉＦｉ）で通知することにより、現場責任者や入場者へ異常事態が発生した旨を通知することが可能となる。その結果として、現場責任者や入場者は、イベント会場（催し物展示会場）のどの場所で火災などの異常事態が発生したかを示す異常事態発生の状況や避難誘導に関する情報を迅速に把握することができる。
【００３２】
また、このとき、複数のカメラにて撮影した複数のカメラ映像から、適切なカメラ映像を異常事態発生場所と関連付けて表示することにより、現場責任者や入場者へ異常事態が発生した旨を的確、かつ迅速に通知することが可能となる。その結果として、現場責任者や入場者は、異常事態の状況をリアルに確認することができる。
【００３３】
また、さらに、異常事態が発生した場所に応じた避難誘導情報、つまり、出入口や非常口へ誘導する経路や地図を併せることにより、入場者の避難を迅速にかつ確実に行うことも期待できる。
【００３４】
制御装置１１６は、以下のような制御部を有し、内部に格納したプログラムに従って動作する。
例えば、異常事態が発生した場所に近い感知器１２から発信された異常事態発生情報を受信する制御部、異常事態発生情報をもとに異常事態発生場所を特定する制御部、異常事態発生場所を含む異常事態発生状態情報を現場責任者携帯端末や会場入場者携帯端末に通知する制御部、感知器１２が設置されていない場所で異常事態が発生したか否かを判定し、感知器１２が設置されていない場所で異常事態が発生した場合や一定の音声に反応した場合、イベント会場内の関係者などへ異常事態が発生した旨を報じる制御部、などを有する。
【００３５】
図３は、感知器１２の構成例を示すブロック図である。
感知器１２は、イベント会場内に異常事態が発生した場合、その異常事態（煙・熱、音声など）を検知する異常事態検知部１２１や、一定の音声に反応し、異常音声等を検知する音声異常検知部１２６、異常事態発生情報を発信する異常事態発生情報発信部１２２、感知器１２を識別するＩＤを異常事態発生情報に付与する感知器識別ＩＤ付与部１２３を有する。
【００３６】
また、感知器１２は、イベント会場内を撮影するカメラ機能を有するカメラ部１２４、カメラ部１２４にて撮影したカメラ映像を送信するカメラ映像送信部１２５、カメラ部１２４を識別するＩＤをカメラ映像に付与するカメラ識別ＩＤ付与部１２５、を有する。カメラ部１２４を識別するＩＤは、感知器１２を識別するＩＤと兼用してもよい。
【００３７】
図４は、発報装置１４の構成例を示すブロック図である。
発報装置１４は、例えば、異常事態検知部１２１が異常事態を検知したとき、この検知に基づいて起動し、イベント会場内の現場責任者（関係者）や入場者などへ異常事態が発生した旨を報じる装置であって、非常放送受信部１４１、スピーカ１４２、制御部（ＣＰＵ）１４３、を含む。
【００３８】
非常放送受信部１４１は、情報処理装置１１から送信される非常放送を受信し、スピーカ１４２は、その非常放送をイベント会場に拡声し、制御部１４３は、非常放送受信部１４１やスピーカを制御する。
【００３９】
発報装置１４は、さらに、画像学習・解析・診断機能を有し、例えば、ＡＩ（artificial intelligence:人口知能）技術を利用した画像解析・診断部１４４を備えている。
【００４０】
画像解析・診断部１４４は、以下のような機能を１つ以上有する。
（１）カメラ（カメラ部）による画像解析を元に人が注視している箇所を割り出し、当該箇所にて異常な温度を感知したとき、発報する機能
（２）カメラ（カメラ部）による画像解析を元に各素材の引火温度、発火温度を解析し、例えば、木材であれば、引火２２０〜２６４度、発火２６０〜４１６度に近づいた場合に発報する機能
（３）カメラ（カメラ部）による画像解析を元に来場者の緊張状態を解析し、有事を起こそうとしている人を通知する機能
（４）カメラ（カメラ部）による画像解析を元に来場者の健康状態を解析し、熱中症などの体調不良を起こしそうな人を見付け次第発報する機能
（５）カメラ（カメラ部）による画像解析を元に来場者全体の人の流れを解析し、集まり過ぎている場所や、緊急事態発生時の人の誘導などを発報する機能
（６）各感知器から受けた情報に基づき、ドローンや自走ロボットを運用し、これらの機器に感知システムの他に消火器やＡＥＤを持たせ、異常事態発生箇所に到着後、必要機器を近くの人に渡すように通知する機能
これらの機能を、ネットワークを介してアプリケーションにて制御するスマホやタブレットにて受信、操作できるようにしてもよい。
【００４１】
これにより、防災や防犯などを迅速、かつ的確に実行することができる。つまり、画像を解析することにより、映像に映っている造作物の素材を判断し、また、温度センサと連携して発火温度を判断することができる。また、既存の顔認証システムと連携したり、過去の犯罪者データベースとリンクし、窃盗や痴漢などの前科がある人物を検知することも可能である。また、表情から緊張度・ストレス度を計測し、体調不良、犯罪を起こそうとしている人物を検知することも可能である。
【００４２】
図５は、消火器用パネル装置１５の構成例を示すブロック図である。
消火器用パネル装置１５は、例えば、異常事態検知部１２１が異常事態を検知したとき、この検知に基づいて起動し、消火器位置情報を、情報処理装置１１を介して、または直接、現場責任者携帯端末２や会場入場者携帯端末３などに通知する装置であって、発光部１５１、消火器パネル起動部１５２、点滅開始制御部１５３、点滅開始信号送信部（含消火器位置情報）１５４、を含む。
【００４３】
発光部１５１は、消火器パネル自身であっても、別途用意したランプであってもよい。消火器パネル起動部１５２は、異常事態検知部１２１が異常事態を検知したときに起動し、点滅開始制御部１５３は、発光部１５１を点滅するように制御し、点滅開始信号送信部１５４は、例えば、消火器位置情報を情報処理装置１１へ送信する。消火器位置情報は、直接、現場責任者携帯端末２や会場入場者携帯端末３などに送信してもよい。
【００４４】
図６は、図２の情報処理装置１１の制御装置１１６による処理手順を説明するフローチャートである。図２のフローチャートに基づく動作は以下のとおりである。
【００４５】
ステップＳ１２１１：
感知器１２は、異常事態発生を感知する。異常事態発生感知とは、例えば、煙・熱や音声などの感知である。
【００４６】
ステップＳ１２１２：
感知器１２は、ステップ１２１１にて、異常事態発生を感知すると、異常事態発生を示す異常事態発生情報を発信し、情報処理装置１１に送信する。このとき、異常発生事態を感知した感知器１２の識別ＩＤを付与する。
この識別ＩＤにより、感知器１２がイベント会場のどの位置に設置し、どの位置で異常事態、例えば、火災等が発生したかを情報処理装置１１側にて把握することが可能である。
【００４７】
ステップＳ１２１３：
感知器１２は、ステップ１２１１にて、異常事態発生を感知すると、カメラ部１２４が起動する。また、このとき、消火器用パネル装置１５も起動するとよい。
【００４８】
ステップＳ１２１４：
カメラ部１２４は、感知器１２の近傍の撮影を開始し、撮影したカメラ映像を情報処理装置１１に送信する。このとき、カメラ部１２４の識別ＩＤを付与する。
【００４９】
ステップＳ１１１１：
情報処理装置１１は、識別ＩＤを付与した異常事態発生情報を受信する。
【００５０】
ステップＳ１１１２：
情報処理装置１１は、識別ＩＤを付与したカメラ映像を受信する。
【００５１】
ステップＳ１２１４：
情報処理装置１１は、異常事態発生情報（煙・熱／音声）、カメラ映像、防災用情報を警報情報として会場入場者携帯端末３や現場責任者携帯端末２に送信する。
【００５２】
異常事態発生情報とは、例えば、煙・熱／音声等の異常を示す情報であり、カメラ映像とは、異常事態が発生した現場を撮影してカメラ映像情報であり、防災用情報とは、例えば、イベント会場の地図、避難経路、消火器位置、火災に繋がる要因等の各情報である。
【００５３】
イベント会場の地図、避難経路、消火器位置、火災に繋がる要因等の各情報は、情報処理装置１１の記憶装置１１５に格納しておく。消火器位置を示す情報は、異常事態発生時に起動する消火器用パネル装置１５から送信されるものを利用してもよい。
避難経路は、入場者を的確に避難誘導指示するものであり、消火器位置は、場合によっては、入場者や現場管理者等による消火活動を依頼するものである。
【００５４】
ステップＳ３１：
会場入場者携帯端末３は、情報処理装置１１から送信される警報情報を受信する。
【００５５】
ステップＳ３２：
会場入場者携帯端末３は、受信した警報情報を表示する。この表示により、入場者は、イベント会場内で何等かの異常事態が発生したことを把握することができる。また、例えば、避難経路にて避難できる。
【００５６】
ステップＳ２１：
現場責任者携帯端末２は、情報処理装置１１から送信される警報情報を受信する。
【００５７】
ステップＳ２２：
現場責任者携帯端末２は、受信した警報情報を表示する。この表示により、現場管理者は、イベント会場内で何等かの異常事態が発生したことを把握することができる。また、例えば、入場者に対して適切な避難誘導を指示することができる。
【００５８】
ステップＳ１２１５：
情報処理装置１１は、上述したステップにおける処理の他、イベント会場内に発報メッセージ、例えば、非常放送するか否かを判定する。非常放送を要とする場合は、次のステップＳ１２１６へ進む。
【００５９】
ステップＳ１２１６：
情報処理装置１１は、異常事態発生情報を受信したとき、発報装置１４を起動し、発報装置１４に非常放送を送信する。発報装置１４の起動は、例えば、感知器１２のない場所で異常事態が発生した場合に有効である。
異常事態発生が音声の場合は、その旨を管理者・運営者用携帯端末にのみ通報するとよい。また、火災に繋がる要因も同様に管理者・運営者用携帯端末にのみ通報するとよい。
【００６０】
ステップＳ１４１：
発報装置１４は、情報処理装置１１からの非常放送を受信し、スピーカより拡声する。
これにより、携帯端末を持参していないイベント会場内の入場者や現場責任者の他の関係者に対しても、異常事態が発生した旨を的確にかつ迅速に通報することができる。
【００６１】
ステップＳ２３：
現場責任者携帯端末２は、現場責任者により、状況に応じて、発報装置１４による発報を停止する。
【００６２】
図７は、図２の情報処理装置１１の記憶装置１１５に格納される警報情報のデータ構成を示すテーブルである。
【００６３】
テーブルにおける警報情報は、感知器ＩＤ、カメラＩＤ、異常事態発生情報（煙・熱／音声）、カメラ映像情報、防災用情報、等の各情報を格納する領域を有する。また、防災用情報は、例えば、地図、避難経路、消火器位置、火災に繋がる要因、発報メッセージ（非常放送）、等を含む。
【００６４】
以上述べた実施例によれば、仮設工事で済み、施工の簡素化が図れる防災を兼ねた防犯システムを提供することができる。
また、異常事態発生時、現場責任者携帯端末および会場入場者携帯端末を保有する現場責任者や利用客などの関係者に対して、催し物展示会場のどの場所で、何が行ったかを迅速に知らせることができる。
また、複数のカメラにて撮影した複数のカメラ映像から適切なカメラ映像を異常事態発生場所と関連付けて表示することにより、その状況をリアルに確認することができる。
さらに、異常事態が発生した場所に応じた避難経路、つまり、出入口や非常口へ誘導する経路を表示することにより、利用客の避難をスピーディにかつ確実に行うことも期待できる。
【符号の説明】
【００６５】
１  防災・防犯管理設備
１１  情報処理装置
１１１  通信装置
１１２  入力装置
１１３  出力装置
１１５  記憶装置
１２  感知器
１４  発報装置
１４１  非常放送受信部
１４２  スピーカ
１４３  制御部
１４４  画像解析・診断部
１５  消火器用パネル装置
【図１】
2019219844.tif 000003
【図２】
2019219844.tif 000004
【図３】
2019219844.tif 000005
【図４】
2019219844.tif 000006
【図５】
2019219844.tif 000007
【図６】
2019219844.tif 000008
【図７】
2019219844.tif 000009